(57)【要約】【課題】磁石を身体部位への巻き付けのために使用して身体部位への装着を簡単に行い、突出部分をなくして安全に使用することができ、簡単な外観とすることができる巻き付け健康具を提供する。【解決手段】メッシュチューブ７が樹脂チューブ６と一体化された内側チューブ２と、内側チューブ２内に挿入された複数の磁石片３と、内側チューブ２が内部に挿入される外側チューブ４と、内側チューブ２の両端部を封鎖すると共に隣接する磁石片３が離れないように押し付けるキャップ５とを備える。磁石片３は外側チューブ４が手指、手首、腕程度の太さの身体部位に複数回巻き付け可能な巻き付け径となる長さに形成され、キャップ５は外側チューブ４の径方向に突出しない径に形成される。【選択図】図１
2019076123.tif 000002
【特許請求の範囲】
【請求項１】
メッシュチューブが樹脂チューブと一体化されることにより形成された内側チューブと、
前記内側チューブの全長に亘って内側チューブ内に挿入された複数の磁石片と、
樹脂によって形成され、前記内側チューブが内部に挿入される外側チューブと、
前記内側チューブの両端部に取り付けられて内側チューブの両端部を封鎖すると共に隣接する磁石片が離れないように磁石片を長さ方向に相互に押し付けるキャップと、を備え、
前記磁石片は前記外側チューブが手指、手首、腕程度の太さの身体部位に複数回巻き付け可能な巻き付け径となる長さに形成され、
前記キャップは前記外側チューブの径方向に突出しない径に形成されていることを特徴とする巻き付け健康具。
【請求項２】
前記外側チューブは柔軟性樹脂によって形成されていることを特徴とする請求項１記載の巻き付け健康具。
【請求項３】
前記磁石片は前記内側チューブ内で回転可能に設けられていることを特徴とする請求項１又は２記載の巻き付け健康具。
【請求項４】
前記内側チューブは前記メッシュチューブが前記チューブに埋め込まれて一体化されていることを特徴とする請求項１〜３のいずれか１項記載の巻き付け健康具。
【請求項５】
前記内側チューブは前記メッシュチューブが前記樹脂チューブの内側に接着されることにより一体化されていることを特徴とする請求項１〜３のいずれか１項記載の巻き付け健康具。
【発明の詳細な説明】
【技術分野】
【０００１】
本発明は、磁石の磁力を利用することにより身体部位に巻き付けて用いられる巻き付け健康具に関する。
【背景技術】
【０００２】
磁石の磁力が血管の血行を促進する作用があることから磁石を身体部位に接触させる構造の健康具が従来より開発されている。例えば、特許文献１には、電磁波を放射する燒結体に磁石を重ね合わせて多層磁性ブロックとし、この多層磁性ブロックをバンドに対し所定間隔で取り付けるバンド形式の健康具が記載されている。この健康具は、手首、腕等の身体部位にバンドを巻き付け、バンド両端のバンド金具を相互に係止することにより身体部位に装着して使用される。
【先行技術文献】
【特許文献】
【０００３】
【特許文献１】特開２０１７−８６５３４号公報
【発明の概要】
【発明が解決しようとする課題】
【０００４】
従来の健康具では、バンド金具を係止させることにより身体部位への巻き付けを行うものであり、着脱時にバンド金具への操作が必要であると共に身体部位の太さに合わせた径への調整を必要としている。このため着用や取り外しが面倒である問題を有している。
又、バンド金具や磁石が外側に突出しているため、これらが身体部位が接触して、身体部位が擦れたり傷付く危険性も有している。
さらには、バンドに加えて磁石、バンド金具等の部材が必要であり、外観が複雑のため、外観が低下して見た目だけで使用を憶する原因ともなっている。
【０００５】
本発明は、このような従来の問題点を考慮してなされたものであり、磁石の磁力を血行促進のために用いるだけでなく、身体部位への巻き付けのためにも使用する構造とすることにより身体部位への装着を簡単に行うことができるばかりでなく、突出部分をなくして安全に使用することができ、さらには簡単な外観とすることができる巻き付け健康具を提供することを目的とする。
【課題を解決するための手段】
【０００６】
本発明の巻き付け健康具は、メッシュチューブが樹脂チューブと一体化されることにより形成された内側チューブと、前記内側チューブの全長に亘って内側チューブ内に挿入された複数の磁石片と、樹脂によって形成され、前記内側チューブが内部に挿入される外側チューブと、前記内側チューブの両端部に取り付けられて内側チューブの両端部を封鎖すると共に隣接する磁石片が離れないように磁石片を長さ方向に相互に押し付けるキャップと、を備え、前記磁石片は前記外側チューブが手指、手首、腕程度の太さの身体部位に複数回巻き付け可能な巻き付け径となる長さに形成され、前記キャップは前記外側チューブの径方向に突出しない径に形成されていることを特徴とする。
【０００７】
この発明では、前記外側チューブは柔軟性樹脂によって形成されていることを特徴とする。
又、前記磁石片は前記内側チューブ内で回転可能に設けられていることを特徴とする。
さらに、前記内側チューブは前記メッシュチューブが前記チューブに埋め込まれて一体化されていることを特徴とする。
又、さらに、前記内側チューブは前記メッシュチューブが前記樹脂チューブの内側に接着されることにより一体化されていることを特徴とする。
【発明の効果】
【０００８】
本発明では、磁石片の磁気吸引力によって身体部位へ巻き付いて装着され、且つ磁石片の磁気吸引力によって身体部位への巻き付き状態が保持されるため、巻き付け状態を保持するためのバンドや金具が不要となり、装着を簡単に行うことができる。バンドや金具が不要となるため、スッキリした外観となって外観が向上し、使用意欲を増進させることができる。又、身体部位の太さに合わせた径への調整も容易であるため操作性が向上する。さらには、キャップが外側に突出していないため、使用時にキャップが身体部位を擦ることがない。このため身体部位を傷付けることがなく、安全に使用することができる。
【図面の簡単な説明】
【０００９】
【図１】本発明の一実施形態の巻き付け健康具を示す断面図である。
【図２】図１のＡ−Ａ線断面図である。
【図３】要部を示す部分破断斜視図である。
【図４】（Ａ及び（Ｂは使用形態を示す斜視図である。
【図５】本発明の別の実施形態の巻き付け健康具を示す断面図である。
【図６】図５のＢ−Ｂ線断面図である。
【発明を実施するための形態】
【００１０】
図１〜図４は、本発明の一実施形態であり、図１及び図２は断面図、図３は要部の部分破断斜視図、図４は使用手順を示す斜視図である。この実施形態の巻き付け健康具１は図１〜図３に示すように、内側チューブ２と、複数の磁石片３と、外側チューブ４と、キャップ５とを備えている。
【００１１】
内側チューブ２はメッシュチューブ７と樹脂チューブ６とを一体化することにより形成される。メッシュチューブ７は樹脂製や布製の糸材を網目状に編んだもの、アルミニウム等の軽量金属の細線を網目状に編んだものを使用することができる。樹脂チューブはポリエチレン等のポリオレフィンやポリアミド等の可撓性樹脂をチューブ状に形成したものが使用される。
【００１２】
この実施形態における内側チューブ２はメッシュチューブ７を樹脂チューブ６内に埋め込むことによりこれらが一体化された構造のチューブとなっている。メッシュチューブ７を備えることにより強度が付与されるため、内側チューブ２（すなわち巻き付け健康具１）が伸びることを抑制できると共に、内部の磁石片３の間に隙間ができても内側チューブ２が破断することを抑制することができる。このため、一定の品質を長期間保持することができる。
【００１３】
磁石片３は複数が内側チューブ２の全長に亘って内側チューブ２の内部に挿入される。磁石片３は円柱形状に成形された短尺なものが使用される。磁石片３は横並び状となって内側チューブ２の内部に挿入される。内側チューブ内に挿入された状態において、隣接する磁石片３は相互に離れないようになっている。これは、健康具１の両端部の後述するキャップ５によってなされる。
【００１４】
各磁石片３においては、Ｎ極とＳ極とが円柱の反対側の外周面に位置している。そして隣接する磁石片３においては、Ｎ極とＳ極とが互い違いの向きに配置される。すなわち一の磁石片３のＮ極に対し、隣接する磁石片３はＳ極が位置し、この隣でさらに隣接する磁石片３はＮ極が位置するように配置される。これにより巻き付け健康具１を複数巻きしたとき、健康具の重なり部分で磁石片３がお互いに磁気吸引力を作用させるため、複数巻きの状態を保持することができる。
これに限らず、複数の磁石片３を内側チューブ２内で回転可能としても良い。磁石片３を回転可能とすることにより、巻き付け健康具１を複数巻きしたとき磁気の斥力が作用する健康具の重なり部分では、磁石片３が回転して磁気吸引力が作用する磁極同士が向き合うようになる。これにより複数巻きの状態を保持することができる。
【００１５】
磁石片３としてはフェライト磁石、サマリウムコバルト磁石、ネオジム磁石を使用することができる。フェライト磁石は保磁力が高く減磁しにくく、酸化物であるため錆びることがない特性を有し、サマリウムコバルト磁石は磁力が強く、耐腐食性を有し、ネオジム磁石は磁束密度が高く、強い磁力を有しており、いずれも巻き付け健康具１の複数巻きの状態を強固に保持することができる。  
【００１６】
磁石片３の長さＬは、巻き付け健康具１が身体部位の太さに合わせた巻き付け径を保持するように設定される。例えば、手指に巻き付けるタイプの場合には、巻き付け時に巻き付け健康具１が１．５〜２．５ｃｍ程度の径となるように磁石片３の長さＬが設定され、手首に巻き付けるタイプの場合には、巻き付け時に３〜６ｃｍ程度の径となるように磁石片３の長さＬが設定され、腕に巻き付けるタイプの場合には、巻き付け時に１０〜２０ｃｍ程度の径となるように磁石片３の長さＬが設定される。その他の身体部位においては、その部位に対して複数巻き可能となるように磁石片３の長さＬが設定されるものである。
【００１７】
外側チューブ４は内側チューブ２が挿入されるものであり、この挿入により磁石片３も内側チューブ２と共に外側チューブ４に挿入される。外側チューブ４は最も外側に位置しており、これにより外側チューブ４は身体部位と接触したり干渉する。このため外側チューブ４は柔軟性樹脂によって形成される。柔軟性樹脂を用いることにより、身体部位と接触、干渉しても身体部位が擦れたり、身体部位が傷付くことを防止することができる。柔軟性樹脂として、熱可塑性ポリエステル（ＴＰＰ）、ポリウレタン、発泡ポリエチレン等を選択することができるが、熱可塑性ポリエステルが良好である。
【００１８】
キャップ５は巻き付け健康具１の両端部を封鎖するように取り付けられる。キャップ５はアルミニウム等の防錆性を有し且つ軟質の軽金属によって成形される。キャップ５は内側チューブ２の両端部に挿入される凸部５ａと、外側チューブ４を封鎖する円板状の蓋部５ｂとによって形成されており、蓋部５ｂが外側チューブ４を封鎖する際に凸部５ａは内側チューブ２を封鎖する。外側チューブ４の両端部を封鎖した後、キャップ５は外側チューブ４に接着或いは加締めによって固定される。
【００１９】
キャップ５の蓋部５ｂの径Ｄは外側チューブ４の径と同等か、それよりも幾分小さい径となるように設定される。これによりキャップ５を巻き付け健康具１の両端部に取り付けた状態では、キャップ５が外側チューブ４の径方向に突出することがない。このようにキャップ５が外側チューブ４の径方向に突出しないことにより、巻き付け健康具１の使用時にキャップ５が身体部位を擦ることがない。このため身体部位を傷付けることがなく安全に使用することができる。
【００２０】
キャップ５は内側チューブ２の両端部を封鎖することにより、内側チューブ２の両端部に位置している磁石片３に当接し、この当接により磁石片３が長さ方向に相互に押し付けられた状態となる。このように磁石片３が押し付けられた状態では、磁石片３が内側チューブ２で相互に離れることがない。すなわち磁石片３と隣接する磁石片３との間に大きな隙間が発生することがない。磁石片３の間に隙間が発生しないため、巻き付け健康具１を螺旋状に巻いたときに内側チューブ２や外側チューブ４が隙間に入り込んで窪むことがなくなる。これによりこれらのチューブ２、４の破断を防止することができる。
【００２１】
図４は、巻き付け健康具１の使用例を示す。この例では、巻き付け健康具１を装着する身体部位が手指（人差し指）１０であり、まず同図（Ａ）で示すように、巻き付け健康具１を螺旋状に複数回巻いた状態として手指１０を差し入れる。手指１０の根元部分まで差し込んだ後、根元部分に巻き付くように縮径させる。その後、フリー状態とすると、同図（Ｂ）で示すように、磁石片３の磁気吸引力によって巻き付け健康具１の全体が螺旋状で手指に巻き付いた装着状態となる。この装着により、磁石片３の磁力が手指の血管の血行を促進するため、手指１０が温かくなり手指１０の健康増進に寄与することができる。手指１０への巻き付き状態はゴムやバンド等の締め付け力ではなく、磁石片３の磁気吸引力によってなされるため、過度の締め付け力が作用しない。このため手指１０への過度の負荷がなく無理のない装着が可能となる。
【００２２】
このような巻き付け健康具１では、磁石片３の磁気吸引力によって身体部位へ巻き付いて装着され、且つ磁石片３の磁気吸引力によって身体部位への巻き付き状態が保持される。このため巻き付け状態を保持するためのバンドや金具が不要となり、装着を簡単に行うことができる。バンドや金具が不要となるため、スッキリした外観となって外観が向上し、使用意欲を増進させることができる。
又、身体部位の太さに合わせた径への調整も容易であるため操作性が向上する。さらには、キャップ５が外側に突出していないため、使用時にキャップ５が身体部位を擦ることがない。このため身体部位を傷付けることがなく、安全に使用することができる。
【００２３】
図５及び図６は、本発明の別の実施形態の巻き付け健康具１Ａを示す。この実施形態では、内側チューブ２を変更する以外は、図１〜図４の実施形態と同様である。
【００２４】
この実施形態の巻き付け健康具１Ａの内側チューブ２では、メッシュチューブ７と樹脂チューブ６とが別体となっており、メッシュチューブ７を樹脂チューブ６の内部に配置すると共にメッシュチューブ７を樹脂チューブ６に接着するものであり、この接着によってメッシュチューブ７が樹脂チューブ６に一体化されている。
【００２５】
このように接着による一体化においても、内側チューブ２がメッシュチューブ７を備えて強度が付与される。このため、内側チューブ２（すなわち巻き付け健康具１）が伸びることを抑制できると共に、内部の磁石片３の間に隙間ができても内側チューブ２が破断することを抑制することができ、一定の品質を長期間保持することができる。
【符号の説明】
【００２６】
１  １Ａ  巻き付け健康具１Ａ
２  内側チューブ
３  磁石片
４  外側チューブ
５  キャップ
６  樹脂チューブ
７  メッシュチューブ
１０  手指（身体部位）
【図１】
2019076123.tif 000003
【図２】
2019076123.tif 000004
【図３】
2019076123.tif 000005
【図４】
2019076123.tif 000006
【図５】
2019076123.tif 000007
【図６】
2019076123.tif 000008
【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
樹脂製又は布製の糸材からなるメッシュチューブが樹脂チューブと一体化されることにより形成された内側チューブと、
前記内側チューブの全長に亘って内側チューブ内に挿入される複数の磁石片と、
柔軟性樹脂によって形成され、前記内側チューブが内部に挿入される外側チューブと、
前記内側チューブの両端部に取り付けられて内側チューブの両端部を封鎖すると共に隣接する磁石片が離れないように磁石片を長さ方向に相互に押し付けるキャップと、を備え、
前記磁石片は前記外側チューブが手指、手首、腕程度の太さの身体部位に複数回巻き付け可能な巻き付け径となる長さに形成され、
前記キャップは前記外側チューブの径方向に突出しない径に形成されていることを特徴とする巻き付け健康具。
【請求項２】
前記磁石片は前記内側チューブ内で回転可能に設けられていることを特徴とする請求項１に記載の巻き付け健康具。
【請求項３】
前記内側チューブは前記メッシュチューブが前記樹脂チューブに埋め込まれて一体化されていることを特徴とする請求項１に記載の巻き付け健康具。
【請求項４】
前記内側チューブは前記メッシュチューブが前記樹脂チューブの内側に接着されることにより一体化されていることを特徴とする請求項１に記載の巻き付け健康具。
【手続補正２】
【補正対象書類名】明細書
【補正対象項目名】０００６
【補正方法】変更
【補正の内容】
【０００６】
本発明の巻き付け健康具は、樹脂製又は布製の糸材からなるメッシュチューブが樹脂チューブと一体化されることにより形成された内側チューブと、前記内側チューブの全長に亘って内側チューブ内に挿入される複数の磁石片と、柔軟性樹脂によって形成され、前記内側チューブが内部に挿入される外側チューブと、前記内側チューブの両端部に取り付けられて内側チューブの両端部を封鎖すると共に隣接する磁石片が離れないように磁石片を長さ方向に相互に押し付けるキャップと、を備え、前記磁石片は前記外側チューブが手指、手首、腕程度の太さの身体部位に複数回巻き付け可能な巻き付け径となる長さに形成され、前記キャップは前記外側チューブの径方向に突出しない径に形成されていることを特徴とする。
【手続補正３】
【補正対象書類名】明細書
【補正対象項目名】０００７
【補正方法】変更
【補正の内容】
【０００７】
この発明では、前記磁石片は前記内側チューブ内で回転可能に設けられていることを特徴とする。又、前記内側チューブは前記メッシュチューブが前記樹脂チューブに埋め込まれて一体化されていることを特徴とする。さらに、前記内側チューブは前記メッシュチューブが前記樹脂チューブの内側に接着されることにより一体化されていることを特徴とする。
【手続補正書】
【提出日】平成30年5月22日(2018.5.22)
【手続補正１】
【補正対象書類名】特許請求の範囲
【補正対象項目名】全文
【補正方法】変更
【補正の内容】
【特許請求の範囲】
【請求項１】
複数の長さ方向に伸びる糸を網目状に編んだ樹脂製又は布製の糸材からなるメッシュチューブが、可撓性の樹脂チューブと一体化されることにより形成された内側チューブと、
前記内側チューブの全長に亘って内側チューブ内に挿入される複数の磁石片と、
柔軟性樹脂によって形成され、前記内側チューブが内部に挿入される外側チューブと、
前記内側チューブの両端部に取り付けられて内側チューブの両端部を封鎖すると共に隣接する磁石片が離れないように磁石片を長さ方向に相互に押し付けるキャップと、を備え、
前記磁石片は前記外側チューブが手指、手首、腕程度の太さの身体部位に複数回巻き付け可能な巻き付け径となる長さに形成され、
前記キャップは前記外側チューブの径方向に突出しない径に形成されていることを特徴とする巻き付け健康具。
【請求項２】
前記磁石片は前記内側チューブ内で回転可能に設けられていることを特徴とする請求項１に記載の巻き付け健康具。
【請求項３】
前記内側チューブは前記メッシュチューブが前記樹脂チューブに埋め込まれて一体化されていることを特徴とする請求項１に記載の巻き付け健康具。
【請求項４】
前記内側チューブは前記メッシュチューブが前記樹脂チューブの内側に接着されることにより一体化されていることを特徴とする請求項１に記載の巻き付け健康具。
【手続補正２】
【補正対象書類名】明細書
【補正対象項目名】０００６
【補正方法】変更
【補正の内容】
【０００６】
本発明の巻き付け健康具は、複数の長さ方向に伸びる糸を網目状に編んだ樹脂製又は布製の糸材からなるメッシュチューブが、可撓性の樹脂チューブと一体化されることにより形成された内側チューブと、前記内側チューブの全長に亘って内側チューブ内に挿入される複数の磁石片と、柔軟性樹脂によって形成され、前記内側チューブが内部に挿入される外側チューブと、前記内側チューブの両端部に取り付けられて内側チューブの両端部を封鎖すると共に隣接する磁石片が離れないように磁石片を長さ方向に相互に押し付けるキャップと、を備え、前記磁石片は前記外側チューブが手指、手首、腕程度の太さの身体部位に複数回巻き付け可能な巻き付け径となる長さに形成され、前記キャップは前記外側チューブの径方向に突出しない径に形成されていることを特徴とする。